(57)【特許請求の範囲】
【請求項１】
被加熱物を誘電加熱するためのマグネトロンと、
スイッチング素子を含んで構成され、高周波トランスの一次コイルに高周波電流を発生させるインバータ回路と、
前記高周波トランスの二次コイルに接続されたマグネトロン駆動回路と、
前記高周波トランスの二次側に設けられたフィラメントコイルと、
このフィラメントコイルに誘起する電圧を前記マグネトロンの陰極に印加するフィラメント回路と、
このフィラメント回路に設けられ前記陰極に流れる電流を整流する整流手段とを備え、
前記フィラメント回路に一対のフィラメント側接続端子を設けると共に、前記マグネトロンの陰極に該一対のフィラメント接続端子と接続される一対の陰極側接続端子を設け、
これら両接続端子を接続する際に、陰極に流れる電流の向きをマグネトロンの陽極電圧が高くなる方向となる接続形態となるように規制する接続形態規制手段を設け、
前記インバータ回路の前記スイッチング素子のオン時間をリニアに変更することにより前記マグネトロンの出力を無段階で変更する出力制御手段を設け、
マグネトロンの出力をオン・オフ制御しない構成としたことを特徴とする電子レンジ。
【請求項２】
接続形態規制手段は、一対の陰極側接続端子の相互の大きさまたは形状を違え、且つ、一対の陰極側接続端子と一対のフィラメント回路側接続端子との大きさまたは形状を対応させることにより構成されていることを特徴とするとする請求項１記載の電子レンジ。
【請求項３】
陰極側接続端子及びフィラメント回路側接続端子にはそれぞれ保護カバーが設けられ、これら保護カバーを特異形状とすることにより接続形態規制手段を構成していることを特徴とする請求項１記載の電子レンジ。
【請求項４】
フィラメント回路側接続端子には保護カバーが設けられ、
接続規制手段は、その保護カバーを各フィラメント回路側接続端子に対応させて色分けすると共に、陰極側接続端子側に、その色と陰極側接続端子とを個別に関連づける指標を設けて構成されていることを特徴とする請求項１記載の電子レンジ。
【請求項５】
接続規制手段は、フィラメント回路から導出されて先端にフィラメント回路側接続端子を備えた一対のリード線の色を相互に異ならせると共に、陰極側接続端子側に、その色と陰極側接続端子とを個別に関連づける指標を設けて構成されていることを特徴とする請求項１記載の電子レンジ。
【発明の詳細な説明】
【０００１】
【発明の属する技術分野】
本発明は、加熱出力制御に改良を加えた電子レンジに関する。
【０００２】
【発明が解決しようとする課題】
図１８には、従来の電子レンジにおける電気回路構成、特には、マグネトロン１００の駆動制御回路を示している。交流電源１０１にはインバータ電源１０２が接続されており、このインバータ電源１０２によりマグネトロンたるマグネトロン１００が駆動されるようになっている。インバータ電源１０２は、直流電源回路１０３、インバータ回路１０４、高周波トランス１０５、マグネトロン駆動回路１０６、フィラメント回路１０７とを有して構成されている。
【０００３】
上記構成において、インバータ回路１０４は、高周波トランス１０５の一次コイル１０５ａに高周波電流を発生させ、その高周波トランス１０５の二次コイル１０５ｂに接続されたマグネトロン駆動回路１０６に倍電圧整流電力を発生させてマグネトロン１００を駆動する。このとき高周波トランス１０５の二次側のフィラメントコイル１０５ｃに誘起される電力を、電子放出のためにマグネトロン１００の陰極に供給する。
【０００４】
ところで、マグネトロン１００の出力を変更する場合には、一次コイル１０５ａへの通電時間を短くして電力量を絞ることがなされている。このため、一次コイル１０５ａの通電・断電の切換え周期が短くなり（インバータ周波数が高くなり）、その結果、一次コイル１０５ａもしくは二次コイル１０５ｂと磁気結合しているフィラメントコイル１０５ｃに発生する誘起電力の周波数も高くなる。このフィラメントコイル１０５ｃを含めたフィラメント回路１０７には、ノイズ除去などの目的でコイル１０８ａおよびコンデンサ１０８ｂで構成されるノイズフィルタ１０８を備えており、印加周波数が高くなると抵抗値Ｒ＝ωＬが大きくなり、その結果、フィラメント電流が流れにくくなる。
【０００５】
そのため、加熱出力を低下させていくと、フィラメント電流がそれと共に低下し、例えば４００Ｗ出力以下となると、条件によっては陰極（フィラメント）からの電子放出量が不足し、安定したマイクロ波発振ができなくなる。そのため、実質的に１００Ｗ出力のような低出力での連続的なマイクロ波発振ができなかった。そのため、１００Ｗ出力相当を実現するために、４００Ｗ出力を、断続的に行ない、時間軸上で平均すると１００Ｗとなるように制御していた。この場合、４００Ｗ出力時間帯では、加熱強度が強く、出力停止時間帯では、加熱がない、といった加熱制御パターンであるから、出力時間帯では、吹きこぼれや、煮過ぎ、局部的に加熱し過ぎ等を来し、調理仕上がりが悪くなるおそれがあった。
【０００６】
これを解決するものとして、出願人は、次の発明を出願した（特願２００１−０６２２１９）。すなわち、フィラメント回路に、マグネトロンの陰極に流れる電流を整流する整流手段を設けることにより、フィラメント電流を交流から直流に変換し、これにて、インバータ周波数の影響を受けにくくなり、低出力領域でも安定した連続発振を可能とする。従って、大出力を断続的にオン・オフすることなく、一様に連続した低出力を実現できる。この結果、調理仕上がりが良くなる。
【０００７】
ところで、上述した出願の発明において、マグネトロンの出力アップを容易に図れることを見出だした。
【０００８】
すなわち、マグネトロンの動作原理は、外部の永久磁石にて強力な磁界を発生させ、その磁界内で、陰極から放出された電子が磁力の影響で発振状態となり、マイクロ波を発生する。このとき、磁界の力（磁力）が強ければ強いほどマグネトロンの発振効率（電気エネルギーをマイクロ波に変換する効率）が良い。
【０００９】
ここで、陰極に流れる電流によっても磁界が発生する。陰極に流れる電流の向きによって、その陰極電流による磁界の向きが永久磁石による磁界と同方向となる場合と、逆方向となる場合とがある。陰極に交流電流が流れる場合には、正方向と逆方向とが交互に流れるから、トータルでも発振効率は変わらない。
【００１０】
しかるに、上記出願の発明においては、陰極電流を直流化しているので、陰極電流による磁界の向きが、永久磁石による磁界と同方向となるように、該陰極電流を流すことにより、磁力が重畳されて強くなり、マグネトロンの発振効率が良くなることが判った。
【００１１】
本発明は上記事情に鑑みてなされたものであり、その目的は、マグネトロンの安定した低出力連続発振を実現できることに加え、マグネトロンの発振効率の向上を図ることができる電子レンジを提供するにある。
【００１２】
【課題を解決するための手段】
請求項１の発明は、被加熱物を誘電加熱するためのマグネトロンと、
スイッチング素子を含んで構成され、高周波トランスの一次コイルに高周波電流を発生させるインバータ回路と、
前記高周波トランスの二次コイルに接続されたマグネトロン駆動回路と、
前記高周波トランスの二次側に設けられたフィラメントコイルと、
このフィラメントコイルに誘起する電圧を前記マグネトロンの陰極に印加するフィラメント回路と、
このフィラメント回路に設けられ前記陰極に流れる電流を整流する整流手段とを備え、
前記フィラメント回路に一対のフィラメント側接続端子を設けると共に、前記マグネトロンの陰極に該一対のフィラメント接続端子と接続される一対の陰極側接続端子を設け、
これら両接続端子を接続する際に、陰極に流れる電流の向きをマグネトロンの陽極電圧が高くなる方向となる接続形態となるように規制する接続形態規制手段を設け、
前記インバータ回路の前記スイッチング素子のオン時間をリニアに変更することにより前記マグネトロンの出力を無段階で変更する出力制御手段を設け、
マグネトロンの出力をオン・オフ制御しない構成としたところに特徴を有する。
【００１３】
この請求項１の発明においては、フィラメント回路に、マグネトロンの陰極に流れる電流を整流する整流手段を設けたから、フィラメント電流を交流から直流に変換することができて、インバータ周波数の影響を受けにくくなり、低出力領域でも安定した連続発振を可能とするものである。従って、大出力を断続的にオン・オフすることなく、一様に連続した低出力を実現できる。この結果、調理仕上がりが良くなる。
【００１４】
さらに、前記フィラメント回路に一対のフィラメント側接続端子を設けると共に、前記マグネトロンの陰極に該一対のフィラメント接続端子と接続される一対の陰極側接続端子を設け、これら両接続端子を接続する際に、陰極に流れる電流の向きをマグネトロンの陽極電圧が高くなる方向となる接続形態となるように規制する接続形態規制手段を設けたから、一対の陰極側接続端子と、一対のフィラメント回路側接続端子とを接続する際に、陰極に流れる電流の向きをマグネトロンの陽極電圧が高くなる方向となる接続形態とすることができ、すなわち、適正な接続形態を確実に得ることができ、マグネトロンの発振効率の向上を確実化できる。また、前記インバータ回路の前記スイッチング素子のオン時間をリニアに変更することにより前記マグネトロンの出力を無段階で変更する出力制御手段を設け、マグネトロンの出力をオン・オフ制御しない構成としたから、調理仕上がりが良くなる。
【００１７】
請求項２の発明は、接続形態規制手段が、一対の陰極側接続端子の相互の大きさまたは形状を違え、且つ、一対の陰極側接続端子と一対のフィラメント回路側接続端子との大きさまたは形状を対応させることにより構成されているところに特徴を有する。
この請求項２の発明においては、陰極側接続端子と、フィラメント回路側接続端子とを、簡単な構成にて適正極性状態に確実に接続することができる。
【００１８】
請求項３の発明は、陰極側接続端子及びフィラメント回路側接続端子には接続時に嵌合する保護カバーがそれぞれ設けられ、これら保護カバーを特異形状とすることにより接続形態規制手段を構成しているところに特徴を有する。
【００１９】
この請求項３の発明においては、陰極側接続端子の保護カバーとフィラメント回路側接続端子の保護カバーとが、陰極側接続端子とフィラメント回路側接続端子とが適正極性状態で接続されるときにのみ嵌合するようになり、両接続端子を適正極性状態に確実に接続することができる。
【００２０】
請求項４の発明は、フィラメント回路側接続端子には保護カバーが設けられ、
接続規制手段は、その保護カバーを各フィラメント回路側接続端子に対応させて色分けすると共に、陰極側接続端子側に、その色と陰極側接続端子とを個別に関連づける指標を設けて構成されているところに特徴を有する。
この請求項４の発明においては、保護カバーの色と指標とを確認しながらフィラメント回路側接続端子と陰極側接続端子とを接続させることにより、両接続端子を適正極性状態に確実に接続することができる。
【００２１】
請求項５の発明は、接続規制手段が、フィラメント回路から導出されて先端にフィラメント回路側接続端子を備えた一対のリード線の色を相互に異ならせると共に、陰極側接続端子側に、その色と陰極側接続端子とを個別に関連づける指標を設けて構成されているところに特徴を有する。
この請求項５の発明においては、リード線の色と指標とを確認しながらフィラメント回路側接続端子と陰極側接続端子とを接続させることにより、両接続端子を適正極性状態に確実に接続することができる。
【００２２】
【発明の実施の形態】
以下、本発明の第１の実施例につき図１ないし図１１を参照しながら説明する。まず図２において、電子レンジの本体１は、外箱２と内箱３とを備えて構成されており、内箱３内部は加熱室４とされている。この加熱室４の外底部には、ターンテーブルモータ５が配設されており、これの回転軸は加熱室４内の突出し、回転網６が連結されている。この回転網６には回転皿７が着脱可能に配置されている。内箱３の右側板と外箱２の右側板との間の空間部は機械室８とされている。機械室８において、内箱３の右側板にはマグネトロンたるマグネトロン９が取付けられており、このマグネトロン９で発生したマイクロ波は、励振口３ａから、加熱室４内へ供給されるようになっている。
【００２３】
図３において、本体１前面には、取手１０ａを有する加熱室４開・閉用の扉１０が設けられていると共に、その側方に操作パネル１１が設けられている。この操作パネル１１には、出力設定手段たる設定スイッチ１２、表示切替スイッチ１３、ガイドスイッチ１４、戻りスイッチ１５、時間設定兼用のスタートスイッチ１６等が設けられている。さらに、操作パネル１１には、表示手段たる例えば液晶表示器からなる表示器１７が設けられている。
【００２４】
ここで、前記マグネトロン９の概略構成について説明する。図４及び図５において、マグネトロン９は、真空管９ａの内部に陰極９ｂ（コイル状のフィラメント）を備えると共に、真空管９ａの外部に陽極９ｃを備え、さらにその外側に永久磁石９ｄを備えて構成されている。
【００２５】
さて、図１には、商用電源１８に接続された駆動制御回路１９を示しており、これはマグネトロン９を駆動制御するためのものである。この駆動制御回路１９について説明する。交流電源１８の両端にはコンデンサ２０を介してダイオードブリッジからなる全波整流回路２１の入力端子が接続され、これの出力端子の一方は、チョークコイル２２を介して平滑コンデンサ２３の一端に接続され、他方はコンデンサ２３の他端に接続されている。これら、コンデンサ２０、全波整流回路２１、チョークコイル２２、平滑コンデンサ２３により直流電源回路２４が構成されている。この直流電源回路２４の直流電源ライン２４ａ、２４ｂには、インバータ回路２５が接続されている。このインバータ回路２５は次の構成である。直流電源ライン２４ａ、２４ｂ間には例えばＩＧＢＴからなるスイッチング素子２６、２７が直列に接続され、これらに逆並列にフリーホールダイオード２８、２９が接続され、さらに、直流電源ライン２４ａ、２４ｂにコンデンサ３０、３１が直列に接続されている。そして、スイッチング素子２６、２７の共通接続端子は、高周波トランス３２の一次コイル３２ａの一方の端子に接続されているとともに、下アームのスイッチング素子２７のエミッタに抵抗３３およびコンデンサ３４を介して接続されている。さらに、上記コンデンサ３０、３１の共通接続点は高周波トランス３２の一次コイル３２ａの他方の端子に接続されている。
【００２６】
上記高周波トランス３２の二次側に、二次コイル３２ｂとフィラメントコイル３２ｃとが設けられており、二次コイル３２ｂにはマグネトロン駆動回路３５が接続されている。このマグネトロン駆動回路３５は、二つのダイオード３６、３７と二つのコンデンサ３８、３９と二つの抵抗４０、４１とを図示のように接続した倍電圧整流回路から構成されており、マグネトロン９に高電圧を印加するようになっている。
【００２７】
フィラメントコイル３２ｃには、フィラメント回路４２が接続されている。このフィラメント回路４２は、整流手段たるショットキーバリアダイオードからなるダイオード４３および４４を備えるとともに、平滑用キャパシタンス素子たるコンデンサ４５を備えている。詳述すると、フィラメントコイル３２ｃの一端はダイオード４３のアノードに接続され、このダイオード４３のカソードはダイオード４４のカソードに接続され、そして、このダイオード４４のアノードはフィラメントコイル３２ｃの他端に接続されている。そして、このダイオード４４の両端にはコンデンサ４５が接続されている。
【００２８】
さらに、このコンデンサ４５の一端であるプラス側（高電位側）端子は、図６ないし図８に示すリード線４６を介して一方のフィラメント回路側接続端子４７に接続され、コンデンサ４５の他端であるマイナス側（低電位側）端子はリード線４８を介して他方のフィラメント回路側接続端子４９に接続されている。換言すれば、リード線４６、４８はフィラメント回路４２から導出されて先端にフィラメント回路側接続端子４７、４９を備えている。
【００２９】
一方、前記マグネトロン９の陰極９ｂの一端は、コイル５０ａ及びコンデンサ５０ｂからなるフィルタ回路５０を介して一方の陰極側接続端子５１に接続され、陰極９ｂの他端は、コイル５２ａ及びコンデンサ５２ｂからなるフィルタ回路５２を介して他方の陰極側接続端子５３に接続されている。
【００３０】
前記インバータ回路２５のスイッチング素子２６、２７は、図１に示す制御回路５４によって高い周波数のデューティー比でオンオフ制御されて、一次コイル３２ａに交流波電流を流し、二次コイル３２ｂおよびフィラメントコイル３２ｃに高周波電流を誘起する。フィラメント回路４２に誘起された電流はダイオード４３、４４にて整流されてマグネトロン９の陰極９ｂに供給される。これにてマグネトロン９は電子を放出しやすい状態とされる。二次コイル３２ｂに誘起された高周波電流は、マグネトロン駆動回路３５により高電圧化されてマグネトロン９に印加され、もってマグネトロン９が発振動作する。
【００３１】
なお、ターンテーブルモータ５の駆動回路５５には、前記交流電源１８が与えられるようになっている。また、前記表示器１７は前記制御回路５４により制御される。さらに、この制御回路５４には、前記各スイッチ１２〜１６を備えて構成された入力回路５６からのスイッチ入力が与えられるようになっている。
【００３２】
出力制御手段としての制御回路５４は、マイクロコンピュータを含んで構成されており、インバータ回路２５のスイッチング素子２６、２７のオン時間をリニアに変更することによりマグネトロン９の出力を最高出力から最低出力まで無段階で変更するようになっている。
【００３３】
また、上記トランス３２は、図７に示すように、コア３２ｄに対して一次コイル３２ａ、二次コイル３２ｂおよびフィラメントコイル３２ｃの順に配設して構成されており、もって、フィラメントコイル３２ｃと二次コイル３２ｂとの磁気結合がフィラメントコイル３２ｃと一次コイル３２ａとの磁気結合より強くなる構成とされている。
【００３４】
また、前記ダイオード４３、４４は、図７に示すように一つのパッケージ５７に封止した構成である、このパッケージ５７には、放熱板５８が取付けられている。上記ダイオード４３、４４であるパッケージ５７は、同図に示すように、インバータ回路２５が実装されている（その実装の様子は図示せず）基板５９に直接実装されており、また、コンデンサ４５及びトランス３２もこの基板５９に実装されている。
【００３５】
ここで、図３及び図９（ａ）に示した設定スイッチ１２が使用者により設定操作されると、マグネトロン９の出力設定を行ない得るようになっており、例えば、３００Ｗの出力を設定すると、その設定値が表示器１７に設定されるようになっている。この場合、予測される電気入力量例えば消費電力（この場合６５０Ｗ）も表示器１７に表示されるようになっている。この表示は、表示切替スイッチ１３の操作ごとに、図９（ｂ）の残り時間表示および加熱出力表示、同図（ｃ）の残り時間表示および消費電力表示と切替えられる。また、マグネトロン９の駆動中においても、制御回路５４は、設定スイッチ１２が使用者により設定操作（押圧時間）されると、マグネトロン９の出力設定を行ない得るようになっている。
【００３６】
さて、上記マグネトロン９において、陰極９ｂに流れる電流の向きを、陽極電圧（陽極９ｃと陰極９ｂとの電位差）が高くなる方向となるように、フィラメント回路４２と陰極９ｂとを接続している。すなわち、図４に示すように、マグネトロン９において、外部の永久磁石９ｄにて強力な磁界が発生しており、その方向は、矢印Ｍで示す方向となっている。
【００３７】
ここで、マグネトロン９は、磁界の強さと発振効率とは、図１０に示すように、磁界の強さが強くなるにつれて発振効率も良くなる。この場合、磁界は永久磁石９ｄ以外に、陰極９ｂに流れる電流によっても磁界が発生する。その磁界の向きは、陰極９ｂに流れる電流の向きによって、図４に示す矢印Ｆ（永久磁石９ｄによる磁界の方向（矢印Ｍ）と同方向と、反対方向Ｇのいずれかとなる。そして、陰極９ｂの電流の向きは、陰極９ｂの陰極側接続端子５１及び５３と、フィラメント回路側接続端子４７及び４９との接続形態によって変わるものである。そして、永久磁石９ｄによる磁界の方向（矢印Ｍ）と陰極９ｂ電流による磁界の方向が同じとなるとマグネトロン９の発振効率も高くなる。
【００３８】
この場合、接続形態としては、陰極９ｂの一方の陰極側接続端子５１と一方のフィラメント回路側接続端子４７とを接続し且つ他方のの陰極側接続端子５３と他方のフィラメント回路側接続端子４９とを接続する形態と、一方の陰極側接続端子５１と他方のフィラメント回路側接続端子４９とを接続し且つ他方の陰極側接続端子５３と一方のフィラメント回路側接続端子４７とを接続する形態とがある。
【００３９】
ところが、上記いずれの接続形態が、Ｍ方向の磁界を発生させているか否かは、外観からは判らない。しかしながら、図１１に示すように、磁界の強さが強くなるほど陽極電圧（陽極９ｃと陰極９ｂとの電位差）が高くなることが判っており、従って、陰極９ｂによる磁界の方向がＦの場合の陽極電圧と、磁界の方向がＧの場合の陽極電圧とでは、前者の方が高くなるものである。しかるに、この実施例では、予め、この機種のマグネトロン９について、上記二つの接続形態で試験をし、陽極電圧（図６の地点Ｐ１とＰ２との間の電位差）を測定してあり、この場合、陰極９ｂの一方の陰極側接続端子５１に、プラス端子である一方のフィラメント回路側接続端子４７を接続し、他方の陰極側接続端子５３に、マイナス端子である他方のフィラメント回路側接続端子４７を接続した形態での陽極電圧が、もう一つの接続形態での陽極電圧よりも高くなることが判った。
【００４０】
そして、この実施例は、陽極電圧が高い方の接続形態を常に得るべく、図８に示すように、一方の陰極側接続端子５１を板状としてその大きさ（幅）を他方の陰極側接続端子５３（これも板状）の幅より大きくし、そして、一方のフィラメント側接続端子４７を前記一方の陰極側接続端子５１と嵌合接続し得る大きさの略偏平筒状に形成し、他方のフィラメント回路側接続端子４９を前記他方の陰極側接続端子５３と嵌合接続し得る大きさの略偏平筒状に形成している。
【００４１】
すなわち、一対の陰極側接続端子５１、５３の相互の大きさを違え、且つ、おこの一対の陰極側接続端子５１、５３と一対のフィラメント回路側接続端子４７、４９との大きさを対応させることにより、接続形態規制手段６０を構成している。
なお、フィラメント回路側接続端子４７、４９は、それぞれ保護カバー６１、６２内に収容固定され、また、両陰極側接続端子５１、５３は、これらをまとめて覆う保護がバー６３内に収容固定されている。この場合、保護カバー６１と６２との大きさが異なり、保護カバー６３は、陰極側接続端子５１近傍の部分が保護カバー６１にほぼ合致する形状をなし、且つ陰極側接続端子５３近傍の部分が保護カバー６２とほぼ合致する形状をなすように構成されている。これによって別の接続形態規制手段６４が構成されている。このように、保護カバー６１、６２と保護カバー６３とを特異形状に形成することにより、端子接続時において、陰極側接続端子５１、５３の保護カバー６３と、フィラメント回路側接続端子４７、４９の保護カバー６１、６２とが、陰極側接続端子５１、５３とフィラメント回路側接続端子４７、４９とが適正極性状態で接続されるときにのみ嵌合するようになり、両接続端子４７、４９を適正極性状態に確実に接続することができるようになる。
【００４２】
このような本実施例によれば、次の効果を得ることができる。
フィラメント回路４２に、マグネトロン９の陰極に流れる電流を整流する整流手段たるダイオード４３、４４を設けたから、フィラメント電流を交流から直流に変換することができて、インバータ周波数の影響を受けにくくなり、低出力領域でも安定した連続発振を可能となる。この結果、大出力を断続的にオン・オフすることなく、一様に連続した低出力が実現できる。この結果、調理仕上がりが良くなる。
【００４３】
例えば、連続して弱火とかとろ火のような安定した低出力加熱を実現することができる。従って、弱火調理に好適するジャムをつくるときも、吹きこぼれや、焦げつきがなく、良好に調理できる。さらに、炊飯の場合のひたし行程での出力調整も良好となる。また、マイクロ波による卵料理についても、従来は、卵に小孔をあけても破裂することがあったが、超弱出力のマイクロ波加熱が可能であるから、破裂を防止しながら卵調理を完了できる。さらには、解凍調理を行なう場合には、連続的な低出力のマイクロ波加熱が実現できるから、加熱むらを防止しつつ良好な解凍が行なえる。
【００４４】
さらに本実施例によれば、マグネトロン９の陰極９ｂに流れる電流の向きを、陽極電圧９ｃが高くなる方向となるように構成したから、陰極９ｂに流れる電流による磁力が永久磁石９ｄによる磁力に重畳されて強くなるものであり、マグネトロン９の発振効率が向上する。
【００４５】
また本実施例によれば、接続形態規制手段６０を設けて、一対の陰極側接続端子５１、５３と、一対のフィラメント回路側接続端子４７、４９とを接続する際に、陰極９ｂに流れる電流の向きをマグネトロン９の陽極電圧が高くなる方向となる接続形態となるように規制するから、適正極性接続形態を確実に得ることができ、マグネトロン９の発振効率の向上を確実化できる。
【００４６】
さらに本実施例によれば、上記接続形態規制手段６０を、一対の陰極側接続端子５１、５３の相互の大きさを違え、且つ、一対の陰極側接続端子５１、５３と一対のフィラメント回路側接続端子４７、４９との大きさを対応させることにより構成したから、陰極側接続端子５１、５３と、フィラメント回路側接続端子４７、４９とを、簡単な構成にて、適正極性状態に確実に接続することができる。
【００４７】
さらにまた、本実施例では、保護カバー６１、６２及び６３を特異形状とすることにより接続形態規制手段６４を構成しているから、陰極側接続端子５１、５３の保護カバー６３に対してフィラメント回路側接続端子４７の保護カバー６１及びフィラメント回路側接続端子４９の保護カバー６２とが、陰極側接続端子５１、５３とフィラメント回路側接続端子４７、４９とが適正極性状態で接続されるときにのみ嵌合するようになり、両接続端子５１、５３及び４７、４９を適正極性状態に確実に接続することができる。
【００４８】
本発明は上述の第１の実施例に限られず、次のように変更して実施しても良い。
整流手段としては、本発明の第２の実施例と示す図１２のようにダイオード７１一つでも良い。また、本発明の第３の実施例として示す図１３のようにダイオード７２、７３をフィラメントコイル３２ａに対して直列と並列とに接続する構成（第１の実施例におけるコンデンサ４５をなくした構成）でも良い。
【００４９】
また、接続形態規制手段を本発明の第４の実施例を示す図１４のように構成しても良い。すなわち、フィラメント回路側接続端子４７、４９を一つの保護カバー８１で保護し、このカバー８１を、第１の実施例のカバー６３と略対向形状が合致しその外側に嵌合し得る形状に形成することにより、接続形態規制手段８２を構成している。
【００５０】
本発明の第５の実施例を示す図１５において、陰極側接続端子８３、８４は相互に同じ形状・大きさをなし、フィラメント回路側接続端子８５、８６はそれぞれ、陰極側接続端子８３、８４に嵌合接続し得る形状に形成されている。接続形態規制手段８７は、次のように構成されている。すなわち、一方のフィラメント回路側接続端子８５のリード線４６及び保護カバー８８を例えば赤色に形成し、一方のフィラメント回路側接続端子８６のリード線４８及び保護カバー８９を例えば白色に形成し、陰極側接続端子８３、８４の保護カバー９０において、一方の陰極側接続端子８３に対応する部分９０ａを指標たる赤色に、他方の陰極側接続端子８４に対応する部分９０ｂを指標たる白色に形成することにより接続形態規制手段８７が構成されている。
【００５１】
この第５の実施例においては、フィラメント回路側接続端子８５、８６のリード線４６、４８の色を異ならせ、この色と関連付ける指標として陰極側接続端子８３、８４側を同じように色分けしたから、それらの色を確認しながらフィラメント回路側接続端子と陰極側接続端子とを接続させることにより、両接続端子８５、８６と８３、８４とを適正極性状態に確実に接続することができる。また、リード線４６、４８の色も異ならせたので、一層確実である。この実施例において、リード線４６、４８の色分けと、保護カバー８８、８９の色分けとのうち、少なくとも一方について色分けすれば良い。
【００５２】
この場合、本発明の第６の実施例として示す図１６のように、陰極側接続端子８３、８４には、指標たる「赤」、「白」の文字（符号９１、９２を付して示す）を付しても良い。
要するに、フィラメント回路側端子８５、８６のリード線４６、４８あるいは保護カバー８８、８９を色分けした場合には、相手側である陰極側接続端子８３、８４側には、その色と陰極側接続端子８３、８４とを個別に関連づける指標（上述のカバー９０の色分け、あるいは、文字）を設ければ良い。
【００５３】
また、本願発明の第７の実施例として示す図１７のように、陰極側接続端子９３、９４の相互の形状を異ならせても良く、この場合相手側であるフィラメント回路側接続端子の形状もこれら端子９３、９４に合わせて変えるようにすれば良い。
【００５４】
【発明の効果】
本発明は以上の説明から明らかなように、フィラメント回路に、マグネトロンの陰極に流れる電流を整流する整流手段を設け、前記インバータ回路の前記スイッチング素子のオン時間をリニアに変更することにより前記マグネトロンの出力を無段階で変更する出力制御手段を設け、マグネトロンの出力をオン・オフ制御しない構成とした。本発明によれば、フィラメント電流を交流から直流に変換することができて、低出力領域でも安定した連続発振を可能にできる。そして、大出力を断続的にオン・オフすることがなく、一様に連続した低出力を実現できる。この結果、調理仕上がりが良くなる。
さらに、フィラメント回路の一対のフィラメント側接続端子と、マグネトロンの陰極の一対の陰極側接続端子とを接続する際に、陰極に流れる電流の向きをマグネトロンの陽極電圧が高くなる方向となる接続形態となるように規制する接続形態規制手段を設けたから、一対の陰極側接続端子と、一対のフィラメント回路側接続端子とを接続する際に、陰極に流れる電流の向きをマグネトロンの陽極電圧が高くなる方向となる接続形態とすることができ、すなわち、適正な接続形態を確実に得ることができ、マグネトロンの発振効率の向上を確実化できる。
【図面の簡単な説明】
【図１】本発明の第１の実施例を示す電気回路図
【図２】電子レンジの概略的な縦断正面図
【図３】正面図
【図４】マグネトロンの磁界の向きを説明するための概略的な一部破断の斜視図
【図５】マグネトロンの概略的な横断平面図
【図６】マグネトロン及びフィラメント回路部分の電気回路図
【図７】基板における実装状態を示す図
【図８】マグネトロン及び端子を説明するための斜視図
【図９】表示器及びスイッチ部分の正面図
【図１０】マグネトロンの磁界の強さと発振効率との関係を示す図
【図１１】マグネトロンの磁界の強さと陽極電圧との関係を示す図
【図１２】本発明の第２の実施例を示す図１相当図
【図１３】本発明の第３の実施例を示す図１相当図
【図１４】本発明の第４の実施例を示す保護カバー部分の斜視図
【図１５】本発明の第５の実施例を示す図８相当図
【図１６】本発明の第６の実施例を示す図８相当図
【図１７】本発明の第７の実施例を示すマグネトロンの陰極側端子部分の斜視図
【図１８】従来例を示す図１相当図
【符号の説明】
４は加熱室、９はマグネトロン、９ｂは陰極、９ｃは陽極、２５はインバータ回路、３２はトランス、３２ｃはフィラメントコイル、３５はマグネトロン駆動回路、４２はフィラメント回路、４３、４４はダイオード（整流手段）、４６、４８はリード線、４７、４９はフィラメント回路側接続端子、５１、５３は陰極側接続端子、６０は接続形態規制手段を示す。
【図１】
0003814498.tif 000002
【図２】
0003814498.tif 000003
【図３】
0003814498.tif 000004
【図４】
0003814498.tif 000005
【図５】
0003814498.tif 000006
【図６】
0003814498.tif 000007
【図７】
0003814498.tif 000008
【図８】
0003814498.tif 000009
【図９】
0003814498.tif 000010
【図１０】
0003814498.tif 000011
【図１１】
0003814498.tif 000012
【図１２】
0003814498.tif 000013
【図１３】
0003814498.tif 000014
【図１４】
0003814498.tif 000015
【図１５】
0003814498.tif 000016
【図１６】
0003814498.tif 000017
【図１７】
0003814498.tif 000018
【図１８】
0003814498.tif 000019